(57)【特許請求の範囲】
【請求項１】
２つの電線ドラムを載置する電線ドラム用パレットであって、
上面から見て矩形状をなす上下２つの枠体（１４）が、間隔部材（１５）で間隔をあけて相互に固定され、前記上側の枠体の上面及び下側の枠体の下面にそれぞれ、電線ドラムを受ける互いに間隔（Ｈ）を置いた平行な２本の丸棒（１２）からなるドラム受け（１６）を２組み備えるとともに、各ドラム受けの長手方向の前後面にそれぞれ、前記間隔部材により上下枠体間の空間として形成される荷役腕（６）用の差込口（１３）を備え、前記枠体は、前記差込口に挿入した荷役腕が、各ドラム受けの２本の丸棒で支持された電線ドラムの底面に接触しないように上側の枠体の下面に接触して当該電線ドラム用パレットを持ち上げることができる厚みを有することを特徴とする電線ドラム用パレット。
【発明の詳細な説明】
【０００１】
【発明に属する技術分野】
この発明は、複数の電線ドラムを運搬したり保管したりするために用いる電線ドラム用パレットに関するものである。
【０００２】
【従来の技術】
一般に配電線用ケーブル等を巻付け収容する電線ドラムは木製が主流であり、図７に示した電線ドラム１のように、両側のツバ板２間を橋渡しするように全周に短冊状の板である小割板３が貼られている構造のものと、図８に示した電線ドラム５のように、小割板のないタイプに大別される。
従来、この種の電線ドラム１、５を保管場に保管する場合、電線ドラム１、５を直接段積みして（積み上げて）保管するか、あるいは段積みせずにすべてを地上に置いて保管していた。
【０００３】
【発明が解決しようとする課題】
電線ドラムを段積みして保管する場合、図７の電線ドラム１のように小割板３があるものでは、図９のように地面上に置かれた電線ドラム１の上に直接電線ドラム１を重ねて置くことが容易であり、上下の電線ドラム１同士が前後に多少ずれても安定感があり特に問題はない。
しかし、図８の電線ドラム５のように小割板がないものでは、図１０、図１１に示すように、電線ドラム５を重ねるとき、下の電線ドラム５と上に乗せる電線ドラム５のツバ板２を相互にしっかり合わせなければならない（図１１のＡ部参照）。
通常このようなドラム積み作業はフォークリフトを使用するが、かなりベテランでも２つの電線ドラム５のツバ板２相互をぴったり合わせて重ねることは難しく、作業時間もかなりかかってしまうという問題がある。
また、仮にうまくツバ板２同士を合わせて電線ドラム５を積み上げたとしても、荷を受けるのがツバ板２のわずかな幅（厚み）だけとなるので、安定性に欠け、地震等の振動で崩れる危険性が大きい、という問題がある。
【０００４】
このため、小割板なしの電線ドラム５の場合は、荷崩れの危険性を考慮して段積みせず、すべて地上に保管することがあるが、この場合、非常に大きな保管スペースが必要となるという問題がある。
【０００５】
また、電線ドラム５における左右のツバ板２の間隔が異なるサイズ違いの電線ドラム５の場合、それらを段積みすることができないという問題もある。
【０００６】
また、複数の電線ドラム５を同時に運搬移動する場合、図１２のようにフォークリフトのフォーク（荷役腕）６の奥行き方向に、フォーク６の長さ分だけ電線ドラム５を乗せることとなるが、フォークの長さが短い場合は、２個以上の電線ドラムを同時に運搬移動することができない。
【０００７】
また、狭い保管スペースを有効に活用するためには、小割板１を付けた電線ドラム１を用い、これを段積みするしかないが、小割板１はリサイクルできないため産業廃棄物を大量に排出する結果となるという問題がある。
【０００８】
また、小割板１がない電線ドラム５をフォークリフトで直接持ち上げるとき、誤ってフォーク６が電線ドラム５のツバ板２にかからなかった場合、ドラムに巻付け収容されている電線を傷つけてしまうことがあるという問題もある。
【０００９】
また、地面に置かれた電線ドラムは、転がらないようにするため歯止めを掛けなければならない。歯止めの掛け方が悪いと荷崩れを起す恐れがある、という欠点がある。また、歯止めは一般的に木製の角材が用いられており、森林伐採という環境破壊の一因にもなっている。
【００１０】
本発明は上記従来の問題を解消するためになされたもので、小割板なしの電線ドラムの場合でも容易に安定な段積み等の保管をすることができ、また、左右ツバ板間隔の異なるサイズ違いの電線ドラム同士でも段積み保管することができ、また、フォークリフトで複数の電線ドラムを同時に運搬移動することが容易であり、また、ドラムに巻付け収容されている電線を傷つける恐れのない電線ドラム用パレットを提供することを目的とする。
【００１１】
【課題を解決するための手段】
上記課題を解決する請求項１の発明は、２つの電線ドラムを載置する電線ドラム用パレットであって、
上面から見て矩形状をなす上下２つの枠体（１４）が、間隔部材（１５）で間隔をあけて相互に固定され、前記上側の枠体の上面及び下側の枠体の下面にそれぞれ、電線ドラムを受ける互いに間隔（Ｈ）を置いた平行な２本の丸棒（１２）からなるドラム受け（１６）を２組み備えるとともに、ドラム受けの長手方向の前後面に、前記間隔部材により上下枠体間の空間として形成される荷役腕（６）用の差込口（１３）を備え、前記枠体は、前記差込口に挿入した荷役腕が、前記ドラム受けの２本の丸棒で支持された電線ドラムの底面に接触しないように上側の枠体の下面に接触して当該電線ドラム用パレットを持ち上げることができる厚みを有することを特徴とする。
【００１４】
【発明の実施の形態】
以下、本発明の実施の形態を図面を参照して説明する。
図１に本発明の一実施形態の電線ドラム用パレット１１を示す。この電線ドラム用パレット（以下単にパレットという）１１は、２つの電線ドラムを載置する電線ドラム用パレットであって、上面から見て矩形状をなす上下２つの枠体１４が、間隔部材１５で間隔をあけて相互に固定され、前記上側の枠体１４の上面及び下側の枠体１４の下面にそれぞれ、電線ドラムを受ける互いに間隔Ｈ）を置いた平行な２本の丸棒１２からなるドラム受け１６を２組み備えるとともに、ドラム受け１６の長手方向の前後面に、前記間隔部材１５により上下枠体１４間の空間として形成される荷役腕（例えばフォークリフトのフォーク）用の差込口１３を備え、前記枠体１４は、前記差込口１３に挿入した荷役腕６が、前記ドラム受け１６の２本の丸棒１２で支持された電線ドラムの底面に接触しないように上側の枠体１４の下面に接触して当該電線ドラム用パレット１１を持ち上げることができる厚みを有する構成である。
【００１５】
このパレット１１の前記２本の丸棒（丸パイプを含む）１２からなる２組のドラム受け１６は、矩形状の前記枠体１４の長辺側の対向する二辺間にそれぞれ架け渡している。このパレット１１では、右側の２本および左側の２本の丸棒１２、つまり２組のドラム受け１６がそれぞれ電線ドラムを１個ずつ受けるので、２個の電線ドラムの載置が可能である。この場合、パレット１１のドラム収納部分の大きさ（枠体１４の短辺長さおよびドラム受け１２の長さ）をドラム幅（左右のツバ板間の間隔）に対してある程度余裕をもった設計とする。
実施形態では間隔部材１５を左右の短辺部と中央との３箇所に配置しており、左右の短辺部の間隔部材１５は枠体１４の短辺と等しい長さを持ち、中央の間隔部材１５は短柱状のものである。前記差込口１３は、上下の枠体１４間の隙間の、中央の間隔部材１５の両側部分として形成されている。このように、間隔部材１５は、上下の枠体１４をフォークリフトのフォークを差し込むのに適した間隔に保持するものであり、実施形態の構成に限らず、例えばすべてを短柱状ないしブロック状のものとしてもよい。
【００１６】
パレット１１の各部材の材質は、載置する電線ドラムのサイズや重量によって適宜選択するとよいが、金属あるいはプラスチック等を用いることができる。金属の場合は安価な鋼、プラスチックの場合は安価なポリエチレン等が適切である。また、図示例では枠体１４の部材や間隔部材１５を角管ないし角材で示したが、丸管ないし丸材で構成する等、任意である。
【００１７】
上記パレット１１を用いて小割板なしの電線ドラム５の保管や運搬を行なう作業を図２〜図４等を参照して説明すると、まず、各パレット１１に２個の電線ドラム５を載せる。この場合、各パレット１１の右側の２本の丸棒１２からなるドラム受け１６および左側の２本の丸棒１２からなるドラム受け１６にそれぞれ電線ドラム５を置くと、２本の丸棒１２が電線ドラム５の荷重をしっかりとかつ安定に受ける。そして、この２個の電線ドラム５を載せたパレット１１の差込口１３にフォークリフトのフォーク６を差し込んで作業を行なう。
【００１８】
電線ドラム５の段積みを行なう場合、図２の下側部分に示すように、まず、２つの電線ドラム５を載せたパレット１１を保管場の地面に置く。次いで、この地面に置いたパレット１１上の２個の電線ドラム５の上に、同じく２個の電線ドラム５を載せたパレット１１を載せると、図３に示すように、電線ドラム５の段積みが行なわれる。なお、下段側の電線ドラム５の上にまずパレット１１だけを載せ、次いでそのパレット１１上に２個の電線ドラム５を１つずつ載せるという手順で行なうことも可能である。
このように電線ドラム５の段積み保管にパレット１１を用いると、従来方式のような電線ドラム５のツバ板２同士をぴったり合わせる、という作業の煩わしさがなくなり、段積み作業を容易にかつ能率的に行うことが可能となる。
【００１９】
また、段積みされた上側のパレット１１は、その下面の左右部それぞれ２本の丸棒１２からなるドラム受け１６が下側の各電線ドラム５のツバ板２の上部に被さるように載るので、安定した状態で下側の電線ドラム５の上に載る。このように、パレット１１の上面および下面それぞれが電線ドラム５のツバ板２をしっかり受けるので、安定して２段以上の段積みを行なうことが可能となる。
また、電線ドラム５を受けるドラム受け１６が丸棒１２からなるので、電線ドラム５をパレット１１に載せるとき、電線ドラム５がパレット１１に対して多少傾いていても、ドラム自重により電線ドラム５のツバ板２にドラム受け１６が食い込むことなく、滑って理想状態に納まるという効果もある。なお、「理想状態」とは、ドラム受け１６が、電線ドラム５のツバ板２を片側２点、両側４点でしっかり支えて、ガタツキが生じない状態を指すが、これにより、安定感も大幅に向上する。
さらに、電線ドラム５の幅（２枚のツバ板２間の間隔）よりドラム受け１６の長さを長くしているため、上下の電線ドラム５の位置がドラム受け１６の長手方向（ドラム幅方向）に互いに多少ずれていても、段積みに問題は生じない。
【００２０】
また、電線ドラム５における左右のツバ板２の間隔が異なるサイズ違いの電線ドラム５の場合でも、それらを段積みすることが可能となる。
【００２１】
また、パレット１１上に電線ドラム５を載せたままパレット１１を移動させることが可能であることから、例えば図１のパレット１１の場合、少なくとも２個の電線ドラム５を同時に運搬することができ、作業能率が向上する。
仮に、フォーク長が長ければ、奥行き方向に２個のパレット１１を同時に載せられるため、その場合は同時に、２×２＝４個の電線ドラム５を運搬移動可能になる。
【００２２】
また、パレット１１に載せた電線ドラム５を例えば図４に示すように３段に積み上げることもでき、場合によりさらに多段に積み上げることもできる。したがって、電線ドラム保管場の一層の省スペースを図ることができる。
【００２３】
図５に参考例としての電線ドラム用パレット１１を示す。このパレット１１は、枠体１４の長辺をさらに長くし、かつ２本の丸棒１２からなるドラム受け１６を３組設けて、３個の電線ドラム５を同時に載せる構造としている。
なお、配電線用ケーブルの電線ドラムは直径０．５ｍ〜１．５ｍ程度が一般的であるが、そのような電線ドラムの移動、保管を行なう場合、通常のフォークリフトの性能から同時に移動できるドラムの数は２個が限界となるケースが多い。
【００２４】
図６も参考例としての電線ドラム用パレットを示す。この電線ドラム用パレット２１は、パレット本体２４の上下両面が、電線ドラム５を面で受けて荷重を支える荷置き面であり、この上下両面に、電線ドラム５の転動を規制するための、互いに平行な２本の棒状体２２からなる転動規制部材２５を例えば２組み固定した構造である。２３はフォーク６を挿入する差込口である。
【００２５】
本発明の電線ドラム用パレットは、上述のように、小割板なしの電線ドラム５に適用して好適であるが、小割板有りの電線ドラム１の保管や移動に用いることも当然可能である。
【００２６】
【発明の効果】
本発明の電線ドラム用パレットによれば、電線ドラムを段積みして保管する場合、下段側の電線ドラムに載せたパレット上に上段側の電線ドラムが載る形で電線ドラムの段積みが行なわれるので、従来の保管方式と異なり、電線ドラムのツバ板同士を合わせるという作業の煩わしさがなくなり、段積み作業を容易にかつ能率的に行うことが可能となる。
【００２７】
また、段積みされたパレットは、その上面および下面それぞれが電線ドラムのツバ板をしっかり受けるので、荷崩れの恐れなく安定して２段以上の段積みを行なうことが可能となる。
【００２８】
また、電線ドラムを受けるドラム受けを丸棒としているので、電線ドラムをパレットに載せるとき、電線ドラムがパレットに対して多少傾いていても、ドラム自重により電線ドラムのツバ板にドラム受けが食い込むことなく、滑って理想状態に納まる。これにより、安定感も大幅に向上する。
【００２９】
上記のように電線ドラムを荷崩れの恐れなく安定して段積みできるので、すべて地上に置いて、非常に大きな保管スペースを必要とするという問題は解消され、電線ドラム保管場の省スペースが図られる。
【００３０】
電線ドラムの段積みはパレットに載せて行なうので、電線ドラムにおける左右のツバ板の間隔が異なるサイズ違いの電線ドラムの場合でも、それらを段積みすることが可能となる。
【００３１】
１つのパレットに複数の電線ドラムを載せることができるので、複数の電線ドラムを同時に運搬移動することが可能となり、保管、移動の作業能率が向上する。
【００３２】
リサイクルができず産業廃棄物となる小割板を用いる必要がないので、産業廃棄物の大量排出という問題を解消できる。
【００３３】
また、フォークリフトのフォークで直接電線ドラムを持ち上げることがないので、フォークで電線ドラムに巻かれた電線を誤って傷つけてしまうという問題も生じない。
【００３４】
また、従来方式で地面に置かれた電線ドラムの転動防止用に用いる歯止めは一般的に木製の角材であるが、この木製の歯止めが不用なので、森林伐採という環境破壊を避けるためにも有効である。
【図面の簡単な説明】
【図１】本発明の一実施形態の電線ドラム用パレットを示す斜視図である。
【図２】図１の電線ドラム用パレットに電線ドラムを載せて、フォークリフトで段積みする作業を説明するもので、電線ドラムが段積みされる直前の状態を示す斜視図である。
【図３】図２に続く電線ドラムの段積みを完了した状態を示す斜視図である。
【図４】電線ドラムを３段に段積みした状態を示す斜視図である。
【図５】参考例としての３個の電線ドラムを載せる電線ドラム用パレットを示す斜視図である。
【図６】参考例としての電線ドラム用パレットを示すもので、電線ドラムを載せた電線ドラム用パレットを示す斜視図である。
【図７】一般に使用されている、小割板有りの電線ドラムを示す斜視図である。
【図８】一般に使用されている、小割板無しの電線ドラムを示す斜視図であり、本発明の電線ドラム用パレットを適用するのに好適な電線ドラムである。
【図９】図７の小割板有りの電線ドラムを従来方式で段積みした状態を示す斜視図である。
【図１０】図８の小割板無しの電線ドラムを従来方式で段積みした状態を示す斜視図である。
【図１１】図１０のように小割板無しの電線ドラムを段積みする際の問題点を説明する図である。
【図１２】従来方式を説明するもので、フォークリフトのフォークに２つの電線ドラムを載せた状態を示す図である。
【図１】
0004573016.tif 000002
【図２】
0004573016.tif 000003
【図３】
0004573016.tif 000004
【図４】
0004573016.tif 000005
【図５】
0004573016.tif 000006
【図６】
0004573016.tif 000007
【図７】
0004573016.tif 000008
【図８】
0004573016.tif 000009
【図９】
0004573016.tif 000010
【図１０】
0004573016.tif 000011
【図１１】
0004573016.tif 000012
【図１２】
0004573016.tif 000013